(57)【特許請求の範囲】
【請求項１】
本装置がゲーム機能を備え、所定期間内の前記ゲーム機能の実行回数の上限を設定する第１の設定手段と、
入力される外部情報に対する閲覧制限内容を設定する第２の設定手段と、
前記第１の設定手段により設定された実行回数の上限を超えて前記ゲーム機能が実行された場合の連絡先を設定する第３の設定手段と、
前記第２の設定手段により設定された閲覧制限内容が、入力された外部情報から検出された場合の連絡先を設定する第４の設定手段と、
前記実行回数の上限を超えて前記ゲーム機能が実行された場合に、この事実を、前記第３の設定手段により設定された連絡先に通知する第１の通知手段と、
前記閲覧制限内容が、入力された外部情報から検出された場合に、この事実を、前記第４の設定手段により設定された連絡先に通知する第２の通知手段と
を備える携帯電話端末装置。
【請求項２】
外部情報の制限すべき入手先を設定する第５の設定手段と、
前記第５の設定手段により設定された制限すべき入手先にアクセスされた場合の連絡先を設定する第６の設定手段と、
前記制限すべき入手先にアクセスされた場合に、この事実を、前記第６の設定手段により設定された連絡先に通知する第３の通知手段と
を更に備える請求項１に記載の携帯電話端末装置。
【請求項３】
前記外部情報は、インターネット網を介して入力される電子メール、又はインターネット網上のサイトにアクセスして入力されるウェブページである
請求項１に記載の携帯電話端末装置。
【請求項４】
前記第１の設定手段、前記第２の設定手段、前記第３の設定手段、前記第４の設定手段、前記第５の設定手段、及び前記第６の設定手段により設定される設定内容は、本装置に付属の入力手段により入力されたもの、又は本装置に付属の通信手段により受信されたものである
請求項２又は３に記載の携帯電話端末装置。
【請求項５】
前記入力手段により入力された設定内容、又は前記通信手段により受信された設定内容を、適用したい他装置に送信する
請求項４に記載の携帯電話端末装置。
【請求項６】
前記受信された内容を、前記適用したい他装置に送信する際には、当該他装置においてパスワードの解読を要するようにする
請求項５に記載の携帯電話端末装置。
【請求項７】
本装置がゲーム機能を備え、所定期間内の前記ゲーム機能の実行回数の上限を設定する第１の設定段階と、
入力される外部情報に対する閲覧制限内容を設定する第２の設定段階と、
前記第１の設定段階において設定された実行回数の上限を超えて前記ゲーム機能が実行された場合の連絡先を設定する第３の設定段階と、
前記第２の設定段階において設定された閲覧制限内容が、入力された外部情報から検出された場合の連絡先を設定する第４の設定段階と、
前記実行回数の上限を超えて前記ゲーム機能が実行された場合に、この事実を、前記第３の設定段階において設定された連絡先に通知する第１の通知段階と、
前記閲覧制限内容が、入力された外部情報から検出された場合に、この事実を、前記第４の設定段階において設定された連絡先に通知する第２の通知段階と
を含む携帯電話端末装置の使用状況把握方法。
【請求項８】
コンピュータを、
本装置がゲーム機能を備え、所定期間内の前記ゲーム機能の実行回数の上限を設定する第１の設定手段、
入力される外部情報に対する閲覧制限内容を設定する第２の設定手段、
前記第１の設定手段により設定された実行回数の上限を超えて前記ゲーム機能が実行された場合の連絡先を設定する第３の設定手段、
前記第２の設定手段により設定された閲覧制限内容が、入力された外部情報から検出された場合の連絡先を設定する第４の設定手段、
前記実行回数の上限を超えて前記ゲーム機能が実行された場合に、この事実を、前記第３の設定手段により設定された連絡先に通知する第１の通知手段、
前記閲覧制限内容が、入力された外部情報から検出された場合に、この事実を、前記第４の設定手段により設定された連絡先に通知する第２の通知手段
として機能させるプログラム。
【発明の詳細な説明】
【技術分野】
【０００１】
本発明は、携帯電話端末装置、携帯電話端末装置の使用状況把握方法、及びプログラムに関する。
【背景技術】
【０００２】
従来の携帯電話端末装置は、使用者がインターネットサイトへアクセスする場合に、その異常アクセスを検知する手段として、基地局のネットワーク側にて管理・監視する手段が採用されており、該手段には、特定ウェブサイトへのアクセス制限を行うアクセス制限サービスなども設定可能であった。
しかしながら、このような手段によるアクセス制限サービスの機能は、インターネットサイトへのアクセスを制限することが主な機能となっていた。
【０００３】
この分野の公知技術として、例えば特許文献１には、通信料金が使用料金限度額を超えると、使用料金限度超過情報を通知先に発信する機能を備えた携帯情報端末及び使用通信料金通知方法を提供することを意図し、通信料金が使用料金限度額を超えたか否かを監視する手段と、通信料金が前記使用料金限度額を超えると、使用料金限度超過情報を通知先に発信する手段とを備えた技術が開示されている。
【０００４】
また、例えば特許文献２には、管理者が通信端末の使用範囲を細かく制限することが可能とし、子供などの被管理者が、管理者の意図した範囲を超えて使用することを防止できるようにすることを意図し、記憶部１２が、認証情報であるパスワードを記憶するパスワード記憶エリア１２−１と、携帯電話機１の動作を制御するための制御情報を記憶するための制限情報記憶エリア１２−２と、制限情報記憶エリア１２−２の制御情報が有効である場合でも、この制限を受けない情報を登録する許可リスト１２−３とを備え、制御部１１の認証部１１−１が入力されたパスワードの認証で一致判定したときに、前記制限情報記憶エリア１２−２の設定状態を変更可能とすることで、被管理者に対する携帯電話機１の使用範囲を管理者の意図した範囲に制限させる技術が開示されている。
【０００５】
さらに、例えば特許文献３には、予め任意に設定した条件の成立に伴って電子マネーの利用状況を電子メールにて通知できるようにすることを意図し、電子マネーの利用状況を通知する通知条件が記憶管理されている状態において、ＣＰＵ２１は、非接触ＩＣカード処理チップ３２とＩＣカードリーダライタ４０との間で電子マネーの取引が行われた場合に、今回の利用で通知条件を超えたことを検出すると、電子マネーの利用状況を通知する通知先を特定し、この通知先に対して電子マネーの利用状況を電子メールにて通知する技術が開示されている。
【先行技術文献】
【特許文献】
【０００６】
【特許文献１】特開２００１−３２６７５７号公報
【特許文献２】特開２００５−３０３５０９号公報
【特許文献３】特開２００６−２０９２９１号公報
【発明の概要】
【発明が解決しようとする課題】
【０００７】
しかしながら、上記背景技術で述べた既成の携帯電話端末装置にあっては、例えば、子供が該端末装置を使用してインターネットサイトへアクセスする場合には、前述のとおり、その異常アクセスを知る手段として、基地局のネットワーク側にて管理・監視する手段が採用されており、該手段には、特定ウェブサイトへのアクセス制限を行うアクセス制限サービスなども設定可能であったが、このサービスを受けるには、ネットワークオペレータとの契約が必要であり、また、アクセス制限の設定範囲も、該契約の都度申込しなければならないので煩雑になるという問題点が有った。
また、このアクセス制限サービスの機能は、前述のとおり、インターネットサイトへのアクセスを制限することが主体となっており、電子メール、ゲームなどについては制限設定は網羅されていなかったので、電子メール、ゲームなどについては使用制限することができないという問題点が有った。
【０００８】
また、利用制限機能を動作させるために、基地局のネットワーク側にて管理・監視させるように構成すると、アクセスできないように制限することは可能であるが、今度は全くアクセスできなくなるため、折角の用意された携帯電話サービスを受けられなくなるという問題点が有った。
さらに、このアクセス制限サービスを使用してアクセス制限を実施する場合、アクセスできないようにするための設定内容は日々変わるため、その都度、設定の変更・追加が必要となり、設定の手間が煩雑になるという問題点が有り、このような煩雑さを解消するには、携帯電話端末装置側で設定変更が容易にできるようにすることが課題であった。
【００１０】
本発明の目的は、上述した課題を解決する携帯電話端末装置、携帯電話端末装置の使用状況把握方法、及びプログラムを提供することにある。
【課題を解決するための手段】
【００１１】
上記課題を解決するために、本発明の第１の形態によると、携帯電話端末装置であって、本装置がゲーム機能を備え、所定期間内のゲーム機能の実行回数の上限を設定する第１の設定手段と、入力される外部情報に対する閲覧制限内容を設定する第２の設定手段と、第１の設定手段により設定された実行回数の上限を超えてゲーム機能が実行された場合の連絡先を設定する第３の設定手段と、第２の設定手段により設定された閲覧制限内容が、入力された外部情報から検出された場合の連絡先を設定する第４の設定手段と、実行回数の上限を超えてゲーム機能が実行された場合に、この事実を、第３の設定手段により設定された連絡先に通知する第１の通知手段と、閲覧制限内容が、入力された外部情報から検出された場合に、この事実を、第４の設定手段により設定された連絡先に通知する第２の通知手段とを備える。
【００１２】
本発明の第２の形態によると、携帯電話端末装置の使用状況把握方法であって、本装置がゲーム機能を備え、所定期間内のゲーム機能の実行回数の上限を設定する第１の設定段階と、入力される外部情報に対する閲覧制限内容を設定する第２の設定段階と、第１の設定段階において設定された実行回数の上限を超えてゲーム機能が実行された場合の連絡先を設定する第３の設定段階と、第２の設定段階において設定された閲覧制限内容が、入力された外部情報から検出された場合の連絡先を設定する第４の設定段階と、実行回数の上限を超えてゲーム機能が実行された場合に、この事実を、第３の設定段階において設定された連絡先に通知する第１の通知段階と、閲覧制限内容が、入力された外部情報から検出された場合に、この事実を、第４の設定段階において設定された連絡先に通知する第２の通知段階とを含む。
【００１３】
本発明の第３の形態によると、プログラムであって、コンピュータを、本装置がゲーム機能を備え、所定期間内のゲーム機能の実行回数の上限を設定する第１の設定手段、入力される外部情報に対する閲覧制限内容を設定する第２の設定手段、第１の設定手段により設定された実行回数の上限を超えてゲーム機能が実行された場合の連絡先を設定する第３の設定手段、第２の設定手段により設定された閲覧制限内容が、入力された外部情報から検出された場合の連絡先を設定する第４の設定手段、実行回数の上限を超えてゲーム機能が実行された場合に、この事実を、第３の設定手段により設定された連絡先に通知する第１の通知手段、閲覧制限内容が、入力された外部情報から検出された場合に、この事実を、第４の設定手段により設定された連絡先に通知する第２の通知手段として機能させる。
【発明の効果】
【００１４】
以上説明したように、本発明の携帯電話端末装置によれば、携帯電話端末装置が予め設定された使用制限を越えたか否かの使用状況の把握が可能となり、この使用状況は、予め設定された連絡先に通知されるので、例えば、家族間で同じ機能の携帯電話端末装置の使用状況を把握しながら、該携帯電話端末装置を使用できる効果が有り、また、電子メールやウェブ上のアクセス先に含まれる不適切な表現情報を検出させることが可能となり、しかも、予め設定された連絡先に、不適切な表現情報を検出した旨を通知することができるので、不適切な表現情報を含んだ電子メールのやり取りを把握することが可能となり、電子メールに含まれる不適切な表現情報の家族への影響を遮断することが可能となる効果が有る。
【図面の簡単な説明】
【００１５】
【図１】本発明の実施形態に係る携帯電話端末装置の全体構成を示す構成図である。
【図２】本発明の実施形態に係る携帯電話端末装置３０の表示部３に表示される設定内容の１例を示す説明図である。
【図３】本発明の実施形態に係る携帯電話端末装置３０の使用制限回数を監視する処理の動作手順を示すフローチャート図である。
【図４】本発明の実施形態に係る携帯電話端末装置３０の閲覧制限用語を監視する処理の動作手順を示すフローチャート図である。
【発明を実施するための形態】
【００１６】
本発明に係る携帯電話端末装置は、該携帯電話端末装置を介して実行される電子メールやゲームの使用回数制限、及びインターネットサイトへのアクセスの実行回数制限を、該携帯電話端末装置側で設定することを可能にし、設定された上記制限の監視を実行し、さらに、該携帯電話端末装置の使用状況を、該携帯電話端末装置の使用者の家族が所有する携帯電話端末装置に送信する。
以下、本発明の携帯電話端末装置及び携帯電話端末装置の使用状況把握方法並びにコンピュータプログラムの実施形態について、図面を参照して詳細に説明する。
なお、それぞれの実施形態の説明では、本発明に係る携帯電話端末装置及び携帯電話端末装置の使用状況把握方法について詳述するが、本発明に係るコンピュータプログラムについては、携帯電話端末装置に含まれる各構成要素として実現するためのプログラムであることから、当該プログラムに関する説明は以下の説明に含まれる。
【００１７】
図１は、本発明の実施形態に係る携帯電話端末装置の全体構成を示す構成図である。
同図に示す携帯電話端末装置３０は、アンテナ１と、無線部２と、表示部３と、表示制御部４と、キー入力部５と、タイマ部６と、制御部（ＣＰＵ）７と、ＲＯＭ８と、作業用メモリ９と、電池１０と、データバス１１と、メモリ設定部２０と、を備える。
メモリ設定部２０は、インターネット用メモリ２１と、電子メール用メモリ２２、ゲーム用メモリ２３と、を備えて構成される。
制御部７はバス１１を介して装置内の各部と接続されている。
【００１８】
以下、本実施形態の携帯電話端末装置３０の機能について説明する。
同図に示す携帯電話端末装置３０は、ゲーム機能、インターネットサイトへのアクセス機能、電子メール機能を具備した端末装置であり、この携帯電話端末装置３０と同じ機能を有する携帯電話端末装置を家族間で使用する場合、使用回数の上限をメモリ設定部２０に予め設定することで、使用回数を監視し、携帯電話端末装置で使用回数の超過を互いに通知することで、家族間での使用回数の制限を行う。
また、閲覧制限すべき不適切な用語をメモリ設定部２０に予め設定することで、ウェブサイトのデータや、メールデータ中の不適切な用語を抽出し、さらに、使用状況の通知を行う。
アンテナ１と無線部２は、携帯電話回線網を介して他機と交信する機能を有する。
表示部３は、表示制御部４を介して、後述する各設定情報を表示することができる。
【００１９】
キー入力部５は、後述する各設定情報を入力する際に使用することができる。但し、後述する各設定情報は他機から送信されてくる場合も有る。
タイマ部６、ＲＯＭ８、作業用メモリ９の機能は、既成の携帯電話端末装置の機能と同じであっても良い（説明は省略する）。
携帯電話端末装置３０は、制御部７として動作するＣＰＵを搭載しており、制御部７はバス１１を介して装置内の各部と接続されている。
メモリ設定部２０のインターネット用メモリ２１は、制御部７がインターネット網へのアクセスを監視するための設定情報を格納している。
メモリ設定部２０の電子メール用メモリ２２は、制御部７が電子メール内容を監視するための設定情報を格納している。
メモリ設定部２０のゲーム用メモリ２３は、制御部７がゲーム使用情報を監視するための設定情報を格納している。
前記の設定情報には、使用可能回数の上限や閲覧制限すべき用語が含められる。
【００２０】
図２は、本発明の実施形態に係る携帯電話端末装置３０の表示部３に表示される設定内容の１例を示す説明図である。
同図では、利用制限設定の１例を示しており、設定先電話番号として、「０１２−３４５６−７８９０」、メールアドレスとして、「ＸＸＸＸＸ＠YYYYYYY.com」、電子メール制限値として、「１０通／日」、インターネットアクセス制限値として、「５回／日」、ゲーム使用制限値として、「５回／日」といったデータが、それぞれ表示されている。
これらのデータは、キー入力部５を介して入力されたか、若しくは無線部２を介して他機（携帯端末装置）から送信されたものであり、使用者（この場合は管理者）は、表示部３に表示された該データを確認した後、自装置に設定することができる。さらには、この設定での使用制限を、適用したい他の端末装置へ送信することができる。
【００２１】
（動作の説明）
図３は、本発明の実施形態に係る携帯電話端末装置３０の使用制限回数を監視する処理の動作手順を示すフローチャート図である。
以下、図１，２を参照しながら、本フローチャートを使用して、本実施形態に係る携帯電話端末装置３０の使用制限回数を監視する処理の動作手順を説明する。
（ステップＳ１）
まず、ステップＳ１では、制御部７は、使用制限回数を監視する上で、使用者が、キー入力部５を介して入力した、電子メール、インターネット網へのアクセス、ゲームの、使用可能な上限回数値を、メモリ設定部２０のそれぞれ対応するメモリに入力する。
（ステップＳ２）
次に、ステップＳ２では、制御部７は、この設定に基づいて、使用回数を検証し、これまでの使用回数（図２参照）が前記の使用可能な上限回数値を超過する場合は、ステップＳ３に進み、これまでの使用回数が、前記の使用可能な上限回数値を超過していない場合は、ステップＳ２に戻って上記の検証を継続する。
（ステップＳ３）
ステップＳ３では、制御部７は、メモリ設定部２０内の対応するメモリに予め設定された連絡先に、設定以上の使用回数が発生した旨を無線部２を介して通知する。
【００２２】
図４は、本発明の実施形態に係る携帯電話端末装置３０の閲覧制限用語を監視する処理の動作手順を示すフローチャート図である。
以下、図１，２を参照しながら、本フローチャートを使用して、本実施形態に係る携帯電話端末装置３０の閲覧制限用語を監視する処理の動作手順を説明する。
（ステップＳ２１）
まず、ステップＳ２１では、制御部７は、閲覧制限用語を監視する上で、使用者が、キー入力部５を介して入力した、電子メール、インターネット網のアクセス先が提供する情報から抽出したい閲覧制限用語（ここでは、「いじめ」及び「オークション」）を、メモリ設定部２０のそれぞれ対応するメモリに入力する。
（ステップＳ２２）
次に、ステップＳ２２では、制御部７は、この設定に基づいて、電子メール、インターネット網のアクセス先からの、閲覧制限用語を含んだ電子メール及びインターネットアクセス情報の有無を検証し、電子メール及びインターネットアクセス情報に閲覧制限用語と一致する用語が抽出された場合は、ステップＳ２３に進み、電子メール及びインターネットアクセス情報に閲覧制限用語と一致する用語が抽出されていない場合は、ステップＳ２２に戻って上記の検証を継続する。
（ステップＳ２３）
ステップＳ２３では、制御部７は、メモリ設定部２０内の対応するメモリに予め設定された連絡先に、予め設定された閲覧制限用語を検出した旨を無線部２を介して通知する。
【００２３】
なお、もっと直接的に、即ち、好ましくないウェブサイトへ接続しているか否かを検出するキーワード（例えば、好ましくないウェブサイトのＵＲＬ）を、携帯電話端末装置３０のインターネット用メモリ２１に予め設定しておくことで、携帯電話端末装置３０からインターネット網に接続した際には、このような好ましくないサイトが検出されるように構成することも可能である。
また、本実施形態に係る携帯電話端末装置３０同士であるならば、或る１つの携帯電話端末装置で入力した設定情報を他の携帯電話端末装置に送付し、この設定情報を、前記他の携帯電話端末装置が従うべき設定情報として設定することも可能である。
【００２４】
本実施形態に係る携帯電話端末装置３０によれば、予め選定した使用制限事項を予め設定して、該設定情報をメモリ設定部２０に格納することにより、携帯電話端末装置３０の使用回数が該設定した使用制限を越えた場合は、予め連絡先が設定された他の端末装置装置に通知するので、例えば、家族間で携帯電話端末装置３０と同じ機能の携帯電話端末装置を使用する場合、その全ての携帯電話端末装置において、他の携帯電話端末装置の使用状況（即ち、他の携帯電話端末装置が前記使用制限事項の示す使用制限を越えたか否かの使用状況）を把握できるので、家族間で同じ機能の携帯電話端末装置の使用状況を把握しながら、該携帯電話端末装置を使用できる効果が有る。
【００２５】
また、閲覧を制限すべき不適切な用語を携帯電話端末装置３０に予め設定しておくことで、携帯電話端末装置３０に送られてくる電子メールに含まれる不適切な表現情報を検出させることが可能となり、しかも、予め設定された連絡先に、不適切な表現情報を検出した旨を通知することができるので、不適切な表現情報を含んだ電子メールのやり取りを把握することが可能となる。
【００２６】
また、携帯電話端末装置３０に内蔵されているが、若しくはインターネット網を介して入手したゲームを搭載して使用する場合には、該ゲームの実行回数及び実行時間の制限を予め設定して、該設定情報をメモリ設定部２０に格納することにより、該ゲームの実行回数の超過及び実行時間の超過を検出できるように構成したので、ゲームのやり過ぎを監視し、設定値以上の回数、時間ではゲームを実行できないように制限を掛けることが可能となる効果が有る。
【００２７】
さらに、好ましくないウェブサイトへ接続しているか否かを検出するキーワード（例えば、好ましくないウェブサイトのＵＲＬ）を予め設定して、該設定情報をメモリ設定部２０に格納することにより、携帯電話端末装置３０からインターネット網に接続した際には、このような好ましくないサイトを容易に検出できる構成としているので、ウェブサイトの閲覧制限機能を容易に実現できる効果が有る。
また、本実施形態に係る携帯電話端末装置３０同士であるならば、或る１つの携帯電話端末装置で入力した設定情報を他の携帯電話端末装置に送付し、この設定情報を、前記他の携帯電話端末装置が従うべき設定情報として設定することも可能であるので、複数の携帯電話端末装置の各々に設定する設定情報の管理作業が容易となる効果が有る。
【００２８】
（他の実施形態）
本発明の他の実施形態として、設定情報のプライバシーを保護する実施形態も可能である。その場合の携帯電話端末装置の構成は、図１に示す携帯電話端末装置３０の構成と同じで良い。また、その場合の携帯電話端末装置の動作手順は、図３，４に示す携帯電話端末装置３０の動作手順と同じである。
より具体的には、表示部３に表示される設定情報を他の携帯電話端末装置へ送信して、該他の携帯電話端末装置の設定情報として設定する際は、プライバシーにも配慮して、パスワードを設定し、このパスワードを該他の携帯電話端末装置にて受け付けるようにすることで、より確実に他機の設定を行うことができる。
【００２９】
本実施形態に係る携帯電話端末装置によれば、使用者間でのプライバシーにも配慮した選択肢が付与されるので、セキュリテイの確保が可能となる。このようにして、本発明に係る携帯電話端末装置によれば、自他の携帯電話端末装置にて使用される電子メール、ゲーム、及びインターネットサイトへのアクセスの、各使用制限回数を、自己を含むいずれかの携帯電話端末装置のキー入力部５を介して設定することが可能となり、この設定に基づいて携帯電話端末装置の使用状況を把握し、その結果を、例えば、家族全員の携帯電話端末装置に通知することができるので、同じ機能の携帯電話端末装置の使用状況を、家族全員で把握しながら使用することが可能となる。
【００３０】
なお、本発明に係る携帯電話端末装置の各構成要素の処理の少なくとも一部をコンピュータ制御により実行するものとし、かつ、上記処理を、図３，４の各フローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【産業上の利用可能性】
【００３１】
本発明は、携帯電話端末装置の構築に適用可能であり、特に、特定グループ間で、携帯電話相互の使用状況を検出する機能を設定することができる携帯電話端末装置の構築に好適である。具体例としては、電子メールの送受信機能やウェブ情報の閲覧機能を備えた携帯電話機の他、ＰＤＡ（Personal Data Assistance, Personal Digital Assistants：個人向け携帯型情報通信機器）等の携帯端末装置にも適用可能であり、さらには、ゲーム、及びインターネット通信が可能な装置にも適用することができる。
【符号の説明】
【００３２】
１  アンテナ
２  無線部
３  表示部
４  表示制御部
５  キー入力部
６  タイマ部
７  制御部（ＣＰＵ）
８  ＲＯＭ
９  作業用メモリ
１０  電池
１１  データバス
２０  メモリ設定部
２１  インターネット用メモリ
２２  電子メール用メモリ
２３  ゲーム用メモリ
【図１】
0005488084.tif 000002
【図２】
0005488084.tif 000003
【図３】
0005488084.tif 000004
【図４】
0005488084.tif 000005